(57)【要約】【課題】  本発明の目的は、被施療部に対して抉り込むような効果的な指圧マッサージを施すことができるマッサージ機を提供することである。【解決手段】  被施療部を受ける受面４５に開口４６を設け、受面４５の反被施療部側に、膨張収縮するエアバッグ４８を配置し、エアバッグ４８の膨張により、エアバッグに連結された指圧棒４９を開口４６より突出させて被施療部を指圧するもので、受面４５のエアバッグ側、又は／及びエアバッグ４８の受面側に、エアバッグの膨張時に互いに当接してエアバッグを傾斜させ、指圧棒の突出軌跡を垂直方向から水平方向へと変向させる変向部となる突部５２を設ける。【効果】  エアバッグの膨張に伴い指圧棒の突出軌跡を垂直方向から水平方向へ変向させ、被施療部に対して抉り込むような効果的な指圧を施すことができる。【選択図】    図３
2008220456.tif 000002
【特許請求の範囲】
【請求項１】
被施療部を受ける受面に開口を設け、受面の反被施療部側に、圧縮空気の供給排出により膨張収縮するエアバッグを配置し、エアバッグの膨張により、エアバッグに連結された指圧棒を前記開口より突出させて被施療部を押圧するものにおいて、前記受面のエアバッグ側、又は／及びエアバッグの受面側に、エアバッグの膨張時に互いに当接してエアバッグを傾斜させ、指圧棒の突出軌跡を受面に対し垂直方向から水平方向へと変向させる変向部を設けたことを特徴とするマッサージ機。
【請求項２】
前記変向部は、前記受面のエアバッグ側、又は／及びエアバッグの受面側に形成された突部である請求項１に記載のマッサージ機。
【請求項３】
前記受面は、左右の足の踵からつま先を受けるものである請求項１又は請求項２に記載のマッサージ機。
【請求項４】
前記開口は土踏まずに相当する位置に設けられ、エアバッグの膨張により、指圧棒が土踏まずの足裏中央部寄りより内側へと向きを変向するようにした請求項１乃至請求項３のいずれかに記載のマッサージ機。
【発明の詳細な説明】
【技術分野】
【０００１】
本発明は、圧縮空気の供給排出により膨張収縮するエアバッグに指圧棒を連結し、エアバッグの膨張により指圧棒を突出させて被施療部を押圧し、指圧マッサージを施すマッサージ機に関する。
【背景技術】
【０００２】
従来、圧縮空気の供給排出により膨張収縮するエアバッグに指圧棒を連結し、エアバッグの膨張により指圧棒を突出させて被施療部を押圧するマッサージ機として、特許文献１に記載のものが知られている。
【０００３】
特許文献１に記載のものは、被施療部を受ける受面に開口を設け、受面の反被施療部側に、圧縮空気の供給排出により膨張収縮するエアバッグを配置し、エアバッグの膨張により、エアバッグに連結された指圧棒を前記開口より突出させて被施療部を押圧し、指圧マッサージを施すものである。
【特許文献１】特開平１１−１２８２８８号公報
【発明の開示】
【発明が解決しようとする課題】
【０００４】
特許文献１のマッサージ機では、エアバッグの膨張により、受面に対して垂直方向に単純に指圧棒が突出するもので、被施療部に対して変化のない指圧マッサージしか施すことができないものであった。
【０００５】
本発明の目的は、エアバッグの膨張に伴い指圧棒の突出軌跡を受面に対し垂直方向から水平方向へと変向させて、変化に富んだ指圧マッサージを得ることができるマッサージ機を提供することである。
【課題を解決するための手段】
【０００６】
上記課題を解決するために本発明は、被施療部を受ける受面に開口を設け、受面の反被施療部側に、圧縮空気の供給排出により膨張収縮するエアバッグを配置し、エアバッグの膨張により、エアバッグに連結された指圧棒を前記開口より突出させて被施療部を押圧するもので、前記受面のエアバッグ側、又は／及びエアバッグの受面側に、エアバッグの膨張時に互いに当接してエアバッグを傾斜させ、指圧棒の突出軌跡を受面に対し垂直方向から水平方向へと変向させる変向部を設けたものである。
【０００７】
具体的に変向部として、前記受面のエアバッグ側、又は／及びエアバッグの受面側に形成された突部を例示できる。
【０００８】
また前記受面が左右の足の踵からつま先を受けるものである場合、前記開口は土踏まずに相当する位置に設けられ、エアバッグの膨張により、指圧棒が土踏まずの足裏中央部寄りより内側へと向きを変向するものを例示できる。
【発明の効果】
【０００９】
本発明によれば、エアバッグの膨張に伴い指圧棒の突出軌跡を受面に対し垂直方向から水平方向へと変向させるもで、その結果、被施療部に対して抉り込むような揉みの要素を加味した効果的な指圧マッサージを施すことができる。このマッサージをつぼが集中している足裏の土踏まずに施せば、土踏まずを効果的にマッサージできる。
【発明を実施するための最良の形態】
【００１０】
以下、本発明のマッサージ機を椅子式マッサージ機を例に図に基づき説明する。なお、以下の説明において、椅子に座った人から見てお腹側を前方、背中側を後方という。図１は椅子式マッサージ機１０の斜め前方から見た斜視図で、マッサージ機１０は、被施療者の腰掛ける座部２０と、座部２０の後端側において起倒自在で任意の角度で位置決め可能に取り付けられた背凭れ部３０と、座部２０の前端側において揺動自在で任意の角度で位置決め可能に取り付けられたフットレスト４０と、座部２０の左右両側に立設されたアームレスト５０を具える。
【００１１】
背凭れ部３０内には、左右一対の施療子により叩きや揉みを行なう周知のマッサージ手段（図示せず）が、背凭れ部に沿って昇降自在に設けられている。フットレスト４０は、前方及び上方が開放された左右一対の凹状受部４１を具え、各凹状受部４１の左右側面には、圧縮空気の供給、排出により膨張、収縮するエアバッグ４２、４３が配備され、凹状受部４１に挿入したふくらはぎと足先の側面を押圧してマッサージを施す。凹状受部４１は、布製のカバー４４で覆われている。
【００１２】
また、各凹状受部４１の底面４５のほぼ中央には、図２、図５に示すように円形の開口４６が形成されている。この開口４６の位置は、底面４５上に置いた足裏の土踏まずの足裏中央部寄りに相当する位置となるように設定されている。ここで凹状受部４１の底面４５が、請求項１でいうところの被施療部である足裏を受ける受面となる。受面４５の反被施療部側には、エアバッグ収納室４７が形成され、この収納室４７内に、圧縮空気の供給、排出により膨張、収縮するエアバッグ４８が配備されている。そしてエアバッグ４８の上面には、指圧棒４９が上に向くように溶着されている。指圧棒４９は、エアバッグ４８が収縮した状態では、図２のように前記開口４６より僅かに凹状受部４１内に突出した状態になっている。
【００１３】
凹状受部４１側面のエアバッグ４２、４３と収納室４７内のエアバッグ４８は、配管、電磁バルブを介して、エアポンプ（いずれも図示せず）に接続され、エアポンプ、電磁バルブを介して圧縮空気が供給され、また電磁バルブを介して中の空気が排出される。
【００１４】
而して、前記開口４６の口縁の内側寄りには、図４、図５に示すように、リブ状の円弧状突部５２が一体に垂設されている。エアバッグ４８が膨張していくと、この突部５２がエアバッグ４８の片側に当ってエアバッグ４８を押さえつけるようになり、その結果、図３、図４に示すようにエアバッグ４８が傾く。従って、当初は上方へ向かって突出しつつある指圧棒４９は、エアバッグ４８の傾斜に伴って水平方向に次第に向きを変える。この指圧棒４９の垂直方向から水平方向への連続運動により、被施療部である土踏まずに、単なる指圧でなく、抉り込むような指圧を施すことができ、効果的な指圧マッサージが可能になる。この場合、土踏まずの足裏中央部寄りから内側（図４の矢印Ａ方向）へ向かって抉り込むような、揉みの要素を加味した効果的な指圧マッサージが施される。また突部５２が、請求項１でいうところの、指圧棒４９の突出軌跡を受面に対し垂直方向から水平方向へと変向させる変向部となる。
【００１５】
前記開口４６を凹状受部４１底面４５の内側寄りに設けて、突部５２を前記開口４６の口縁の外側寄りに設ければ、図３、図４とは反対に、土踏まずの内側から足裏中央部寄りへ向かって抉り込むような指圧を施こすことも可能である。
【００１６】
なお、図２乃至図４においては、凹状受部４１を覆う布製カバー４４を省略している。また図中Ｆは、凹状受部４１に置いた足を示す。
【００１７】
図６乃至図８は他の実施例を示し、突部５２を凹状受部の底面４５のエアバッグ４８側ではなく、エアバッグ４８の底面４５側に突設した例である。この場合、突部５２を指圧棒４９の根元に一体に形成している。この実施例でも、エアバッグ４８が膨張していくと、この突部５２が底面４５に先に当ってエアバッグ４８を押さえつけるようになり、その結果、図７に示すようにエアバッグ４８が傾き、指圧棒４９は、垂直方向から水平方向へ向きを変え、土踏まずに、単なる指圧でなく、抉り込むような指圧を施すことができる。なお、図６図７では、布製カバー４４と、凹状受部４１の側面に設けたエアバッグ４２、４３は省略している。
【００１８】
突部５２は、受面４５のエアバッグ４８側とエアバッグ４８表面の受面４５側の両方に設けることもできる。
【００１９】
また突部５２は、図２のように受面４５より一体に垂設する他に、エアバッグ収納室４７の側面より突設することもできる。また突部５２は、図６のように指圧棒４９の根元に一体に形成する他に、エアバッグ４８の上面に直接溶着してもよい。
【００２０】
以上の実施例では、抉り込むような指圧を足裏の土踏まずに施すものであるが、腰や肩、大腿部ふくらはぎ等、人体の任意の場所を受ける受面に、上記の如き指圧棒を配備して、これらの被施療部に対して同様の指圧マッサージを施すこともできる。
【００２１】
なお、指圧棒の移動軌跡を垂直方向から水平方向へと変向させる方法として、図９のように、指圧棒４９自体を曲げて、エアバッグ４８の膨張に伴って、指圧棒の先端の向きを変えることもできる。図９(a)は、エアバッグの収縮状態、図９(b)は膨張状態を示す。この場合、受面４５に設けた開口４６の口縁に、曲がった指圧棒４９をガイドするガイド５５を設けておく。
【００２２】
本発明によれば、エアバッグの膨張に伴い指圧棒の突出軌跡を受面に対し垂直方向から水平方向へと変向させて、被施療部に対して抉り込むような効果的な指圧マッサージを施すことができるものである。
【図面の簡単な説明】
【００２３】
【図１】本発明のマッサージ機を斜め前方から見た斜視図である。
【図２】同マッサージ機のフットレストの要部を断面して示す正面図で、エアバッグの収縮状態を示す。
【図３】同上の正面図で、エアバッグの膨張状態を示す。
【図４】図３の要部拡大断面図である。
【図５】図２におけるフットレストの要部平面図である。
【図６】本発明の他の実施例を示す図２に相当する正面図である。
【図７】本発明の他の実施例を示す図３に相当する正面図である。
【図８】本発明の他の実施例を示す図５に相当する正面図である。
【図９】本発明とは別の方法を示すもので、（ａ）はエアバッグの収縮状態、（ｂ）はエアバッグの膨張状態を夫々示す。
【符号の説明】
【００２４】
４５    受面
４６    開口
４８    エアバッグ
４９    指圧棒
５２    突部
【図１】
2008220456.tif 000003
【図２】
2008220456.tif 000004
【図３】
2008220456.tif 000005
【図４】
2008220456.tif 000006
【図５】
2008220456.tif 000007
【図６】
2008220456.tif 000008
【図７】
2008220456.tif 000009
【図８】
2008220456.tif 000010
【図９】
2008220456.tif 000011